(57)【特許請求の範囲】
【請求項１】
ルーメンと該ルーメンと連通する先端開口を有するカテーテルチューブを備え、該カテーテルチューブは、側孔を持たない本体部と、該本体部より先端側に形成されかつ側孔を持たない屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、前記先端開口は、前記カテーテルチューブの前記側孔形成部のルーメンとほぼ平行でかつカテーテルの先端方向を向いており、さらに、前記側孔形成部の前記屈曲部の内側となる部分に位置する側孔の総面積は、前記側孔形成部の前記屈曲部の外側となる部分に位置する側孔の総面積より少ないものとなっており、かつ、注入された造影剤が屈曲部に与える力における側孔形成部の軸に対して垂直方向の成分と前記側孔形成部の前記屈曲部の内側となる部分の側孔より吐出する造影剤の噴出力における前記成分と同方向の成分との和は、前記側孔形成部の前記屈曲部の外側となる部分の側孔より吐出する造影剤の噴出力における前記成分と反対方向の成分とはほぼ釣り合うものとなっていることを特徴とする造影用カテーテル。
【請求項２】
ルーメンと該ルーメンと連通する先端開口を有するカテーテルチューブを備え、該カテーテルチューブは、側孔を持たない本体部と、該本体部より先端側に形成されかつ側孔を持たない屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、前記先端開口は、前記カテーテルチューブの前記側孔形成部のルーメンとほぼ平行でかつカテーテルの先端方向を向いており、さらに、前記側孔形成部には、注入された造影剤が屈曲部に与える力における側孔形成部の軸に対して垂直方向の成分と前記側孔形成部の前記屈曲部の内側となる部分の側孔より吐出する造影剤の噴出力における前記成分と同方向の成分との和は、前記側孔形成部の前記屈曲部の外側となる部分の側孔より吐出する造影剤の噴出力における前記成分と反対方向の成分とがほぼ釣り合うものとなるように側孔が設けられていることを特徴とする造影用カテーテル。
【請求項３】
前記多数の側孔は、同一側孔形状かつ同一開口面積である請求項１または２に記載の造影用カテーテル。
【請求項４】
前記側孔形成部は、前記側孔形成部の前記屈曲部の外側となる部分に前記側孔形成部の中心軸と平行に設けられた外側側孔列と、前記側孔形成部の前記屈曲部の内側となる部分に前記外側側孔列と向かい合うように設けられ、かつ前記外側側孔列より側孔数が少ない内側側孔列を有する請求項１ないし３のいずれかに記載の造影用カテーテル。
【請求項５】
前記側孔形成部は、前記側孔形成部の前記屈曲部の外側となる部分に前記側孔形成部の中心軸と平行に設けられた外側側孔列と、前記側孔形成部の前記屈曲部の内側となる部分に前記外側側孔列と向かい合うように設けられ、かつ前記外側側孔列の側孔より開口面積の小さい側孔からなる内側側孔列を有する請求項１ないし３のいずれかに記載の造影用カテーテル。
【請求項６】
ルーメンと該ルーメンと連通する先端開口を有するカテーテルチューブを備え、該カテーテルチューブは、側孔を持たない本体部と、該本体部より先端側に形成されかつ側孔を持たない屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、前記先端開口は、前記カテーテルチューブの前記側孔形成部のルーメンとほぼ平行でかつカテーテルの先端方向を向いており、さらに、前記側孔形成部の前記屈曲部の内側となる部分は、側孔非形成部となっていることを特徴とする造影用カテーテル。
【請求項７】
注入された造影剤が屈曲部に与える力における側孔形成部の軸に対して垂直方向の成分と前記側孔形成部の前記屈曲部の外側となる部分の側孔より吐出する造影剤の噴出力における前記成分と反対方向の成分とはほぼ釣り合うものとなっている請求項６に記載の造影用カテーテル。
【請求項８】
前記側孔形成部は、前記側孔形成部の前記屈曲部の外側となる部分に前記側孔形成部の中心軸と平行に設けられた外側側孔列と、前記側孔形成部の前記屈曲部の内側となる部分に前記外側側孔列と向かい合うように設けられた側孔非形成部を有している請求項６または７に記載の造影用カテーテル。
【請求項９】
前記多数の側孔は、同一側孔形状かつ同一開口面積である請求項６ないし８のいずれかに記載の造影用カテーテル。
【請求項１０】
前記側孔形成部は、前記側孔形成部の前記屈曲部の右側面側となる部分に前記側孔形成部の中心軸と平行に設けられた右側面側側孔列と、前記側孔形成部の前記屈曲部の左側面側となる部分に前記右側面側側孔列と向かい合うように設けられた左側面側側孔列を有する請求項４ないし９のいずれかに記載の造影用カテーテル。
【請求項１１】
前記右側面側側孔列と前記左側面側側孔列は、側孔数が同じである請求項１０に記載の造影用カテーテル。
【請求項１２】
前記側孔形成部は、前記側孔形成部の前記屈曲部の右側面側となる部分に前記側孔形成部の中心軸と平行に設けられた第１の右側面側側孔列および第２の右側面側側孔列と、前記側孔形成部の前記屈曲部の左側面側となる部分に前記第１の右側面側側孔列と向かい合うように設けられた第１の左側面側側孔列および前記第２の右側面側側孔列と向かい合うように設けられた第２の左側面側側孔列を有する請求項４ないし９のいずれかに記載の造影用カテーテル。
【請求項１３】
前記第１の右側面側側孔列と前記第１の左側面側側孔列の側孔数は同じであり、前記第２の右側面側側孔列と前記第２の左側面側側孔列の側孔数は同じである請求項１２に記載の造影用カテーテル。
【請求項１４】
前記右側面側側孔列と前記左側面側側孔列の側孔は、同一側孔形状かつ同一開口面積である請求項９ないし１３のいずれかに記載の造影用カテーテル。
【請求項１５】
前記カテーテルの先端開口は、カテーテルの本体部の軸方向とほぼ平行かつ先端方向を向いている請求項１ないし１４のいずれかに記載の造影用カテーテル。
【請求項１６】
前記側孔形成部の任意の軸方向長さ１０ｍｍ部分には、側孔の面積が０．８ｍｍ２以下の側孔が９個以上存在している請求項１ないし１５のいずれかに記載の造影用カテーテル。
【請求項１７】
前記側孔の面積は、０．００８ｍｍ２以上である請求項１ないし１６のいずれかに記載の造影用カテーテル。
【発明の詳細な説明】
【０００１】
【発明の属する技術分野】
本発明は、例えば、心臓またはその周辺組織の血管造影、肝臓、膵臓、胆管などの生体器官の造影に用いられる生体内造影用カテーテルに関する。
【０００２】
【従来の技術】
従来、冠動脈造影用カテーテルとしては、ジャドキンス（Ｊｕｄｋｉｎｓ）型、アンプラッツ（Ａｎｐｌａｔｚ）型等のカテーテルが用いられ、左心室造影用のカテーテルとしては、ピッグテール型カテーテルが用いられている。
例えば、ピッグテール型カテーテルは、大腿動脈よりセルジンガー法あるいはシース法により血管内に導入される。カテーテル内にはガイドワイヤが挿入され、このガイドワイヤとともにカテーテルを進退、回転などの操作を行うことにより、血管の分岐を選択し、上行動脈に到達させた後、カテーテルのループ状に湾曲した先端部を左心室に挿入する。そして、この状態で、カテーテルの基端側から造影剤を供給し、造影剤をカテーテルの先端部から左心室内に噴出して、左心室を造影する。
【０００３】
従来の冠動脈造影用カテーテルとして、いわゆるアングルドピッグテール型カテーテルがある。アングルドピッグテール型カテーテルは、ルーメンとこのルーメンと連通する先端開口を有するカテーテルチューブを備え、カテーテルチューブは、先端側に形成された屈曲部（アングル部）およびこの屈曲部より先端側（カテーテルチューブの先端）に形成され、屈曲部の内側方向に突出するように湾曲した湾曲変形部（ピッグテール部）とを備える。
造影剤をカテーテルに注入すると、造影剤がアングル部を通過するときに、アングル部の内壁に当たり、内壁に力を及ぼし、この力により、カテーテルはアングル部の外側方向に移動する。このため、目的部位に配置したカテーテルの先端部がズレ、的確なＸ線造影が行われないという問題を有していた。
【０００４】
【発明が解決しようとする課題】
本発明の目的は、上記従来の問題点を解消し、先端側に屈曲部（アングル部）を備える造影カテーテルであっても、造影剤注入時に屈曲部に起因するカテーテル先端の挙動が少なく、的確なＸ線造影を行うことができる造影カテーテルを提供する。
【０００５】
【課題を解決するための手段】
上記目的を達成するものは、ルーメンと該ルーメンと連通する先端開口を有するカテーテルチューブを備え、該カテーテルチューブは、側孔を持たない本体部と、該本体部より先端側に形成されかつ側孔を持たない屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、前記先端開口は、前記カテーテルチューブの前記側孔形成部のルーメンとほぼ平行でかつカテーテルの先端方向を向いており、さらに、前記側孔形成部の前記屈曲部の内側となる部分に位置する側孔の総面積は、前記側孔形成部の前記屈曲部の外側となる部分に位置する側孔の総面積より少ないものとなっており、かつ、注入された造影剤が屈曲部に与える力における側孔形成部の軸に対して垂直方向の成分と前記側孔形成部の前記屈曲部の内側となる部分の側孔より吐出する造影剤の噴出力における前記成分と同方向の成分との和は、前記側孔形成部の前記屈曲部の外側となる部分の側孔より吐出する造影剤の噴出力における前記成分と反対方向の成分とはほぼ釣り合うものとなっている造影用カテーテルである。
【０００７】
また、上記目的を達成するものは、ルーメンと該ルーメンと連通する先端開口を有するカテーテルチューブを備え、該カテーテルチューブは、側孔を持たない本体部と、該本体部より先端側に形成されかつ側孔を持たない屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、前記先端開口は、前記カテーテルチューブの前記側孔形成部のルーメンとほぼ平行でかつカテーテルの先端方向を向いており、さらに、前記側孔形成部には、注入された造影剤が屈曲部に与える力における側孔形成部の軸に対して垂直方向の成分と前記側孔形成部の前記屈曲部の内側となる部分の側孔より吐出する造影剤の噴出力における前記成分と同方向の成分との和は、前記側孔形成部の前記屈曲部の外側となる部分の側孔より吐出する造影剤の噴出力における前記成分と反対方向の成分とがほぼ釣り合うものとなるように側孔が設けられている造影用カテーテルである。
【０００８】
また、前記多数の側孔は、同一側孔形状かつ同一開口面積であってもよい。また、前記側孔形成部は、例えば、前記側孔形成部の前記屈曲部の外側となる部分に前記側孔形成部の中心軸と平行に設けられた外側側孔列と、前記側孔形成部の前記屈曲部の内側となる部分に前記外側側孔列と向かい合うように設けられ、かつ前記外側側孔列より側孔数が少ない内側側孔列を有するものである。
また、前記側孔形成部は、例えば、前記側孔形成部の前記屈曲部の外側となる部分に前記側孔形成部の中心軸と平行に設けられた外側側孔列と、前記側孔形成部の前記屈曲部の内側となる部分に前記外側側孔列と向かい合うように設けられ、かつ前記外側側孔列の側孔より開口面積の小さい側孔からなる内側側孔列を有するものである。
【０００９】
また、上記目的を達成するものは、ルーメンと該ルーメンと連通する先端開口を有するカテーテルチューブを備え、該カテーテルチューブは、側孔を持たない本体部と、該本体部より先端側に形成されかつ側孔を持たない屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、前記先端開口は、前記カテーテルチューブの前記側孔形成部のルーメンとほぼ平行でかつカテーテルの先端方向を向いており、さらに、前記側孔形成部の前記屈曲部の内側となる部分は、側孔非形成部となっている造影用カテーテルである。
そして、注入された造影剤が屈曲部に与える力における側孔形成部の軸に対して垂直方向の成分と前記側孔形成部の前記屈曲部の外側となる部分の側孔より吐出する造影剤の噴出力における前記成分と反対方向の成分とはほぼ釣り合うものとなっていることが好ましい。
【００１０】
そして、前記側孔形成部は、例えば、前記側孔形成部の前記屈曲部の外側となる部分に前記側孔形成部の中心軸と平行に設けられた外側側孔列と、前記側孔形成部の前記屈曲部の内側となる部分に前記外側側孔列と向かい合うように設けられた側孔非形成部を有している。また、前記多数の側孔は、同一側孔形状かつ同一開口面積であってもよい。
【００１１】
また、前記側孔形成部は、前記側孔形成部の前記屈曲部の右側面側となる部分に前記側孔形成部の中心軸と平行に設けられた右側面側側孔列と、前記側孔形成部の前記屈曲部の左側面側となる部分に前記右側面側側孔列と向かい合うように設けられた左側面側側孔列を有することが好ましい。さらに、前記右側面側側孔列と前記左側面側側孔列は、側孔数が同じであることが好ましい。
また、前記側孔形成部は、前記側孔形成部の前記屈曲部の右側面側となる部分に前記側孔形成部の中心軸と平行に設けられた第１の右側面側側孔列および第２の右側面側側孔列と、前記側孔形成部の前記屈曲部の左側面側となる部分に前記第１の右側面側側孔列と向かい合うように設けられた第１の左側面側側孔列および前記前記第２の右側面側側孔列と向かい合うように設けられた第２の左側面側側孔列を有することが好ましい。さらに、前記第１の右側面側側孔列と前記第１の左側面側側孔列の側孔数は同じであり、前記第２の右側面側側孔列と前記第２の左側面側側孔列の側孔数は同じであることが好ましい。さらに、前記右側面側側孔列と前記左側面側側孔列の側孔は、同一側孔形状かつ同一開口面積であることが好ましい。
さらに、前記カテーテルの先端開口は、カテーテルの本体部の軸方向とほぼ平行かつ先端方向を向いていることが好ましい。そして、前記側孔形成部の任意の軸方向長さ１０ｍｍ部分には、側孔の面積が０．８ｍｍ2以下の側孔が９個以上存在していることが好ましい。さらに、前記側孔の面積は、０．００８ｍｍ2以上であることが好ましい。
【００１２】
【発明の実施の形態】
以下、本発明の生体内造影用カテーテルを添付図面に示す実施例に基づいて説明する。
図１は、本発明の生体内造影用カテーテルの実施例の部分省略側面図である。図２は、図１に示したカテーテルの先端部分の拡大図である。図３は、図１に示したカテーテルの先端部分の屈曲部内側から見た拡大図である。図４は、図１に示したカテーテルの先端部分の拡大断面図である。
【００１３】
本発明の造影用カテーテル１は、ルーメン８とルーメン８と連通する先端開口３を有するカテーテルチューブ１０とを備える。カテーテルチューブ１０は、先端側に形成された屈曲部９と、屈曲部９より先端側でありかつカテーテルチューブの先端部に形成され、屈曲部９の内側方向に突出するように湾曲した湾曲変形部２と、屈曲部９と湾曲変形部２との間に設けられ、ルーメンと連通する多数の側孔４が形成された側孔形成部５とを有する。そして、側孔形成部５の屈曲部９の内側となる部分に位置する側孔４の総面積は、側孔形成部５の屈曲部９の外側となる部分に位置する側孔４の総面積より少ないものとなっている。
このため、側孔形成部５の屈曲部９の内側となる部分の側孔より吐出する造影剤の噴出力と側孔形成部５の屈曲部９の外側となる部分の側孔より吐出する造影剤の噴出力との差により緩衝されるので、造影剤注入時に屈曲部９に起因するカテーテル先端の挙動が少ない。
【００１４】
また、本発明のカテーテルでは、側孔形成部５には、注入された造影剤が屈曲部９に与える力における側孔形成部５の軸に対して垂直方向の成分と側孔形成部５の屈曲部９の内側となる部分の側孔より吐出する造影剤の噴出力における上記成分と同方向（同一方向）の成分との和が、側孔形成部５の屈曲部９の外側となる部分の側孔より吐出する造影剤の噴出力における上記成分と反対方向の成分とがほぼ釣り合うものとなるように多数の側孔が設けられている。
特に、この実施例のカテーテル１は、側孔形成部５の屈曲部９の外側となる部分に側孔形成部５の中心軸と平行に設けられた外側側孔列群と、側孔形成部５の屈曲部９の内側となる部分に外側側孔列と向かい合うように設けられ、かつ外側側孔列より側孔数が少ない内側側孔列群を有する。このため、造影剤注入時に屈曲部９に起因するカテーテル先端の動きが極めて少なく、配置したカテーテルの先端部の移動が少ないので、的確なＸ線造影を行うことができる。
【００１５】
本発明の造影用カテーテル１は、心臓血管、肝臓、膵臓、胆管などの生体器官の造影に用いられる。
この実施例の造影用カテーテル１は、心臓血管造影用カテーテルであり、先端部にピッグテール型の湾曲変形部２（ピッグテール部）と、先端部でありかつこの湾曲変形部２より後端側に形成された屈曲部９（アングル部）を備えている。カテーテル１は、全体として可撓性を有し、湾曲変形部２（ピッグテール部）および屈曲部９（アングル部）は外力を付与しない状態でその状態を保持する。
具体的には、カテーテル１は、カテーテルチューブ１０とカテーテルチューブ１０の基端に固定されたハブ７を備える。カテーテルチューブ１０は、先端側より、湾曲変形部２、側孔形成部５、屈曲部９、本体部６を備える。
【００１６】
このカテーテル１の構成材料としては、例えば、ポリエチレン、ポリプロピレン、エチレンー酢酸ビニル共重合体などのポリオレフィンもしくはそれらのポリオレフィン系エラストマー、ポリアミド系樹脂（例えばナイロン１１、ナイロン１２、ナイロン６）、ポリエステル系ポリアミド系樹脂（例えば、ＤＩＣ社製の商品名：グリラックス）、ポリエーテル系ポリアミド樹脂（例えば、アトケム社製の商品名：ペバックス）、ポリウレタン、ＡＢＳ樹脂、フッ素系樹脂（ＰＦＡ、ＰＴＦＥ、ＥＴＦＥ等）もしくは軟質フッ素樹脂、ポリイミド、形状記憶樹脂、またはこれらを含むポリマーブレンド、ポリマーアロイ（例えば、ポリアミドエラストマーとポリウレタンのポリマーアロイ）等のような各種合成樹脂が用いられる。
なお、カテーテル１の生体への挿入は、Ｘ線透視下でその位置を確認しつつ行うため、カテーテル１を構成する材料中には、例えば硫酸バリウム、酸化ビスマス、タングステンのようなＸ線不透過材料が配合されていてもよい。
【００１７】
また、湾曲変形部２は、本体部６および側孔形成部５に比べて柔軟であることが好ましい。この場合には、湾曲変形部２の形成材料としては、本体部および側孔形成部の形成材料より柔軟なもの、言い換えれば可撓性の高いものが選択される。なお、本体部および側孔形成部５との接続を容易にすることおよび接合強度を高いものとするために、湾曲変形部２を形成する樹脂と本体部および側孔形成部５を形成する樹脂は、相溶性が良いことが好ましい。相溶性が良いとは、熱力学的な相互溶解性が良好であることを示すものであり、言い換えれば、硬化後両者間において分離しないことを示すものである。
【００１８】
樹脂の組み合わせとしては、両者の樹脂を系統が同じものとすることが望ましい。例えば、本体部および側孔形成部５の形成材料としてナイロン１２もしくはポリエーテルポリアミドブロック共重合体を選択し、湾曲変形部２の形成材料としてそのポリエーテルポリアミドブロック共重合体より柔軟性の高いポリエーテルポリアミドブロック共重合体を選択し両者をポリアミド系樹脂とすること、また、本体部および側孔形成部５の形成材料としてポリオレフィン系エラストマー（例えば、ポリエチレンエラストマー）を選択し、湾曲変形部２の形成材料としてそのポリオレフィン系エラストマーより柔軟性の高いポリオレフィン系エラストマー（例えば、ポリエチレンエラストマー）を選択し、両者をポリオレフィン系樹脂とすること、また、湾曲変形部２の形成材料としてポリエステル系エラストマー（例えば、ソフトセグメントとハードセグメントを備えソフトセグメント部分が多いポリエステルエラストマー）を、本体部および側孔形成部５の形成材料としてポリエステル系エラストマー（例えば、ソフトセグメントとハードセグメントを備えソフトセグメント部分が上記湾曲変形部２の形成材料より少ないポリエステルエラストマー）を選択し両者をポリエステル系樹脂とすること、本体部および側孔形成部５の形成材料として可塑化塩化ビニル樹脂を選択し、湾曲変形部２の形成材料としてその可塑化塩化ビニル樹脂より柔軟性の高い高可塑化塩化ビニル樹脂を選択し両者を塩化ビニル系樹脂とすること、湾曲変形部２の形成材料としてポリウレタンを選択し、本体部および側孔形成部５の形成材料としてポリアミドエラストマーとポリウレタンのポリマーアロイを選択し両者をポリウレタン系とすることなどが考えられる。
【００１９】
さらに、カテーテル１は、湾曲変形部２、屈曲部９、本体部６および側孔形成部５の全体を被覆する外層を備えていてもよい。外層の形成材料としては、湾曲変形部形成材料、本体部および側孔形成部形成材料と接着性を有するものが好ましい。具体的には、それらの形成材料と同質または近似したものが好ましい。例えば、ポリエチレン、ポリプロピレン、エチレンープロピレン共重合体などを用いたポリオレフィン、ポリ塩化ビニル、エチレン−酢酸ビニル共重合体、ポリアミドエラストマー、ポリウレタン等の熱可塑性樹脂、シリコーンゴム、ラテックスゴム等が使用できる。好ましくはパラオキシベンゾイックエチルヘキシル（ＰＯＢＯ)等の可塑剤によって柔軟にされたポリアミドエラストマーあるいはポリウレタンなどが使用できる。そして、カテーテル１の外面を滑らかな状態とするために、外層には、Ｘ線不透過物質を混合させないことが好ましい。
さらに、外層の外側に生体適合性、特に抗血栓性を有する樹脂をコーティングしてもよく、例えば、ポリヒドロキシエチルメタアクリレート、ヒドロキシエチルメタアクリレートとスチレンの共重合体（例えば、ＨＥＭＡ−Ｓｔ−ＨＥＭＡブロック共重合体）などが使用できる。
【００２０】
カテーテル１の内部には、後端より先端まで延び、造影剤等の液体の流路となるルーメン８が形成されている。ルーメン８は、カテーテル１の先端において開口し、先端開口３を構成している。なお、カテーテル１の生体への挿入時等には、ルーメン８内にガイドワイヤ（図示せず）が挿通される。また、この実施例のカテーテル１では、湾曲変形部２の先端に形成されている先端開口３は、カテーテルチューブ１０の本体部６および側孔形成部５のルーメン８とほぼ平行でかつカテーテル１の先端方向を向いている。このため、湾曲変形部２がそのままの形状を維持したならば、先端開口３より造影剤はカテーテル１のルーメン８（軸）とほぼ平行になるように吐出される。
【００２１】
カテーテル１の外径は、特に限定されないが、通常、０．８〜３．０ｍｍ程度が好ましく、１．０〜２．５ｍｍ程度がより好ましい。また、カテーテル１の肉厚は、特に限定されないが、通常、０．１〜０．７ｍｍ程度が好ましく、０．１５〜０．５ｍｍ程度がより好ましい。湾曲変形部２の半径（曲率半径）は、３．０〜１５ｍｍ程度が好ましく、特に好ましくは、３．０〜８．０ｍｍである。
【００２２】
そして、カテーテルチューブの先端部であり、上記の湾曲変形部２より基端側には、屈曲部９が形成されている。屈曲部９は、カテーテルチューブの先端より４０〜１００ｍｍ程度基端側となる位置に形成されていることが好ましい。また、表現を変えれば、図２の湾曲変形部２の最後端側位置より引いた接線Ｘがカテーテルチューブを横切る位置より５〜６５ｍｍ程度基端側となる位置に形成されていることが好ましい。また、屈曲部９の屈曲角度は、９０〜１７０度程度が好適である。特に、１００〜１６０度程度が好適である。
【００２３】
カテーテル１の湾曲変形部２と屈曲部９の間には、側孔形成部５が位置しており、側孔形成部５には、多数の微小な側孔４が形成されている。そして、側孔４は、湾曲変形部２の最後端側位置と、屈曲部９の間となる部分に形成されている。言い換えれば、側孔４は湾曲変形部２の最後端側位置より引いた接線Ｘがカテーテルチューブ１０を横切る位置と同じもしくはそれより後端側かつ屈曲部９のまでとなる部分に形成されている。側孔形成部５の軸方向の長さＬは、５〜８０ｍｍ程度であることが好ましく、１０〜４５ｍｍ程度であることがより好ましい。また、側孔４は湾曲変形部２の最後端側位置より引いた接線Ｘ（図２）がカテーテルチューブ１０を横切る位置より０〜１０ｍｍ程度後端側、好ましくは、１〜１０ｍｍ、特に好ましくは、１〜８ｍｍ後端側となる部分よりに形成されていることが好ましい。
【００２４】
そして、側孔形成部５には、多数の側孔４が、カテーテルチューブの側孔形成部５の屈曲部９の外側となる部分の側面には密で、反対側（屈曲部９の内側）となる部分の側面には疎となるように設けられている。特に、側孔形成部５の屈曲部９の内側となる部分に位置する側孔の総面積は、側孔形成部５の屈曲部９の外側となる部分に位置する側孔の総面積より少ないものとなっている。具体的には、側孔形成部５の屈曲部９の内側となる部分に位置する側孔の総面積は、側孔形成部５の屈曲部９の外側となる部分に位置する側孔の総面積の０〜９０％程度となっている。特に３０〜５０％程度であることが好適である。
【００２５】
なお、カテーテルチューブの側孔形成部５の屈曲部９の外側となる部分の側面の側孔および後述する外側側孔列の側孔は、側孔より吐出する造影剤の噴出力が、注入された造影剤が屈曲部９に与える力における側孔形成部５の軸に対して垂直方向の成分と反対方向の成分を有する側孔をいう。また、カテーテルチューブの側孔形成部５の屈曲部９の内側となる部分の側面の側孔および後述する内側側孔列の側孔は、側孔より吐出する造影剤の噴出力が、注入された造影剤が屈曲部９に与える力における側孔形成部５の軸に対して垂直方向の成分と同方向（同一方向）の成分を有する側孔をいう。
造影剤の注入は、通常圧力：３００〜１２００ｐｓｉ、フローレイト：５〜１５ｍｌ／ｓｅｃの条件でカテーテルの後端より行われるので、この範囲内の注入条件において、ほぼ釣り合うものとなっている。
【００２６】
この実施例のカテーテルの側孔形成部５における側孔配置形態は、図２および図３に示すように、側孔形成部の中心軸と平行にｎ列（ｎ≧２、具体的には２〜２４、図示のものでは６）の側孔列を等角度に配置している。各列は、１〜２８０個（図示のものでは１２個）の側孔を有し、かつ、側孔形成部５の屈曲部９の内側となる部分の側面の側孔（内側側孔列）の側孔が、１〜２８０個（図示のものでは、中央列のみ８個）減少した状態となっている。なお、側孔減少数は、１つの側孔面積が小さいほど多くなり、また、屈曲部の角度が鋭くなる（屈曲度が高くなる）ほど多くすることが好ましい。また、それぞれの隣り合う側孔列は、隣り合う側孔が側孔形成部の軸方向に垂直な同一円周上に位置しないように軸方向にズレている。このようにすることにより、同一円周上に隣り合う側孔が位置しないため側孔部分でのキンクが少ない。なお、１つの側孔列における側孔間隔をｍとしたとき、隣り合う側孔列の側孔は、ｍ／ｎずつ軸方向にずれていることが好ましい。
【００２７】
また、表現を変えれば、側孔形成部５は、図２および図３に示すように、側孔形成部５の屈曲部９の外側となる部分に側孔形成部５の中心軸と平行に設けられた外側側孔列群（側孔数５〜２８０個、図示のものでは１２個）と、側孔形成部５の屈曲部９の内側となる部分に外側側孔列群と向かい合うように設けられ、かつ外側側孔列群より側孔数が１〜２８０個（図示のものでは８個少なく４個）少ない内側側孔列群を有している。側孔数の減少形態としては、図３に示すように、側孔間距離を他の側孔列と同じであり、側孔が集約して設けられた側孔集約部と、側孔形成部５の軸方向に平行に延びる側孔非形成部５ａが形成された形態、また、側孔間距離を広くし側孔形成部５の軸方向の全体に分散させ、側孔非形成部５ａが形成されない形態のいずれでもよい。また、側孔集約部が形成される形態における集約部の位置は、図３に示すような側孔形成部５の軸方向の下方（カテーテルチューブの先端側）であることが好ましいが、側孔形成部５の中央部、さらには側孔形成部５の基端側であってもよい。なお、このように側孔集約部を軸方向の下方（カテーテルチューブの先端側）とすることにより、左心室造影における心尖部（アペックス）側の造影性が良好なものとなる。
【００２８】
そして、このカテーテル１では、図７に示す造影剤注入時に発生する屈曲部９に与えられる力における側孔形成部５の軸に対して垂直方向の成分Ｆ１と側孔形成部５の屈曲部９の内側となる部分の側孔より吐出する造影剤の噴出力における上記成分Ｆ１と同方向（同一方向）の成分Ｆ２との和が、側孔形成部５の屈曲部９の外側となる部分の側孔より吐出する造影剤の噴出力における上記成分Ｆ１およびＦ２と反対方向の成分Ｆ３とがほぼ釣り合うようになっている。
【００２９】
さらに、この実施例のカテーテルは、側孔形成部５の屈曲部９の右側面側となる部分に側孔形成部５の中心軸と平行に設けられた第１の右側面側側孔列（右側面外側側孔列）および第２の右側面側側孔列（右側面内側側孔列）と、側孔形成部５の屈曲部９の左側面側となる部分に第１の右側面側側孔列と向かい合うように設けられた第１の左側面側側孔列（左側面内側側孔列）および第２の右側面側側孔列と向かい合うように設けられた第２の左側面側側孔列（左側面外側側孔列）を有している。なお、これら右側面側孔列および左側面側孔列の側孔より吐出する造影剤の噴出力は、造影剤注入時に発生する屈曲部９に与えられる力における側孔形成部５の軸に対して垂直方向の成分Ｆ１と同方向もしくは反対方向の成分を有する。しかし、この実施例では、これら右側面側孔列および左側面側孔列はすべて同じ側孔形態となっており、造影剤注入時に発生する屈曲部９に与えられる力における側孔形成部５の軸に対して垂直方向の成分Ｆ１の緩衝に利用していない。しかし、右側面外側側孔列および左側面外側側孔列における側孔数よりも、右側面内側側孔列および左側面内側側孔列における側孔数を少なくし、造影剤注入時に発生する屈曲部９に与えられる力における側孔形成部５の軸に対して垂直方向の成分Ｆ１の緩衝に利用してもよい。
【００３０】
上述したように、この実施例のカテーテルでは、側孔形成部５に合計６つの側孔列が形成されている。そして、この実施例では、図８に示す造影剤注入時に発生する力Ｆ４とＦ５をほぼ釣り合うものとし、注入時のカテーテル先端部の側面方向への移動を防止するために、第１の右側面側側孔列と第１の左側面側側孔列の側孔数は同じであり、第２の右側面側側孔列と第２の左側面側側孔列の側孔数は同じとなっている。側孔列数は、この実施例の６つ（側面側孔列は４つ）に限定されるものではなく、４つ（第２の側孔列がないもの、側面側孔列が２つ）、さらには、側孔形成部５の屈曲部９の右側面側となる部分に側孔形成部５の中心軸と平行に第３の右側面側側孔列を、さらにこの第３の右側面側側孔列と向かい合うように第３の左側面側側孔列を設けて、８つの側孔列（側面側孔列は６つ）を備えるものとしてもよい。
【００３１】
そして、側孔形成部５の任意の軸方向長さ１０ｍｍ部分には、面積が０．３ｍｍ2以下の側孔４が９個以上存在していることが好ましい。なお、側孔数の計算は、側孔形成部５中における最も側孔数が多い部分１０ｍｍを選択して算出するものとする。また、１０ｍｍ領域の両端にかかった側孔も１個として計算するものとする。
側孔４の面積は、０．００３ｍｍ2〜０．８ｍｍ2程度とするのが好ましい。特に、０．００３ｍｍ2〜０．３ｍｍ2程度が好ましい。さらには、０．００８ｍｍ2〜０．２８ｍｍ2とすることが好ましく、より好ましくは、０．０５ｍｍ2〜０．２５ｍｍ2である。  また、側孔４の孔径（平均孔径）は、０．０６〜０．６ｍｍ程度とするのが好ましく、０．１〜０．５ｍｍであり、特に、０．２〜０．５ｍｍ程度とするのが好ましい。また、側孔形成部５の任意の軸方向長さ１０ｍｍ部分における側孔の個数は、９〜５００個とすることが好ましい。特に、９〜２４０が好ましく、より好ましくは、１０〜１２０である。また、側孔の総数は、１５〜１０００個程度が好ましく、特に、１５〜２４０が好ましい。また、側孔間の距離（平均距離）は、０．３〜１０ｍｍ程度とするのが好ましく、０．５〜８．０ｍｍ程度とするのがより好ましい。
【００３２】
さらに、側孔の総開口面積は、０．１２ｍｍ2〜３００ｍｍ2程度とすることが好ましく、特に、０．４５ｍｍ2〜７２ｍｍ2程度とすることが好ましい。そして、側孔形成部５の任意の軸方向長さ１０ｍｍ部分における側孔の総開口面積は、０．０７２ｍｍ2〜１５０ｍｍ2程度とすることが好ましく、特に、０．２７ｍｍ2〜７０ｍｍ2程度とすることが好ましい。より好ましくは、０．５ｍｍ2〜３０ｍｍ2であり、特に２．０ｍｍ2〜１５ｍｍ2が好ましい。
【００３３】
また、側孔は、カテーテルチューブの軸方向に長い楕円もしくは長円であってもよい。側孔４は、短軸の長さに対する長軸の長さの比が１．２以上、かつ、短軸の長さは０．０６ｍｍ以上であることが好ましい。さらに、側孔４は、短軸の長さに対する長軸の長さの比が１．３以上、かつ、短軸の長さは０．２ｍｍ以上であることが好ましい。さらに、側孔４の長軸の長さは、０．０７２〜３ｍｍ程度とするのが好ましく、０．１２〜３ｍｍ程度とするのがより好ましい。また、側孔４の短軸の長さは、０．０６〜０．９ｍｍ程度とするのが好ましく、０．１〜０．５ｍｍ程度とするのがより好ましい。側孔４の形状を楕円もしくは長円とすることにより、ほぼ同じ面積の真円側孔を設けたカテーテルに比べて、側孔形成部の引張強度が高くなる。また、短軸の長さに対する長軸の長さの比が１に近づくに従い、側孔形成部の引張強度向上効果が低くなり、また、短軸の長さに対する長軸の長さの比があまり高くなると（具体的には、５０を越えると）側孔部が座屈応力に対して弱くなる。
【００３４】
ここでいう長円とは、完全な楕円ではなく、直線部分を含む楕円状のものをいう。そして、側孔４は、長軸がカテーテルチューブの軸方向とほぼ平行となるように設けられている。なお、側孔４の長軸がカテーテルチューブの軸方向に対して若干斜めになっていてもよい。
また、側孔を軸方向に長い楕円もしくは長円とする場合、側孔形成部５の任意の軸方向長さ１０ｍｍ部分における側孔の個数は、９〜５００個とすることが好ましい。特に、９〜２４０が好ましく、より好ましくは、１０〜１２０である。また、側孔の総数は、１５〜１０００個程度が好ましく、特に、２５〜２００が好ましい。また、側孔間の距離（平均距離）は、０．３〜１０ｍｍ程度とするのが好ましく、０．５〜８．０ｍｍ程度とするのがより好ましい。
【００３５】
また、側孔は、１回の造影剤の注入時における先端開口３から噴出される造影剤の量Ｑ１と、各側孔から噴出される造影剤の総重Ｑ２との比である側孔流量比率＝Ｑ２／（Ｑ１＋Ｑ２）が、０．２５から０．８となるように形成されていることが好ましい。特に、側孔流量比率は、０．３から０．８が好適であり、より好ましくは、０．５〜０．７５が特に好ましく、最も好ましくは、０．６〜０．７５である。なお、上記の数値は、粘度１０．６ｃ．ｐ．（３７゜Ｃ）の造影剤を注入総流量：３６ｍｌ、圧力：１０００ｐｓｉ、フローレイト：１２ｍ１／ｓｅｃの条件でカテーテル１の後端より注入した時の値である。
【００３６】
側孔の形成方法は、特に限定されず、機械加工により側孔４を形成することもできるが、側孔の形成の容易性、形状、寸法精度に優れる点から、レーザ加工により形成するのが好ましい。そして、レーザ加工のうちでも、特に、発振波長が紫外領域にあるレーザによる加工が好ましい。特に、エキシマレーザが好適である。
エキシマレーザは、紫外域で高ピークパワーの短パルス発振を行うレーザであり、希ガス（Ａｒ、Ｋｒ、Ｘｅ等）と、ハロゲン（Ｆ、Ｃｌ、Ｂｒ等）との組み合わせにより、例えば波長１９３〜３５１ｎｍで発振する。このようなエキシマレーザを用いることにより、加工性が優れ、変質、溶融、バリ、スス等の加工不良の発生もなく、小径の側孔４を容易に、高い寸法精度で形成することができる。
【００３７】
カテーテル１の構成材料等を考慮すると、エキシマレーザのなかでも、特に、発振波長が２４８ｎｍ以下のものが好ましく、発振波長２４８ｎｍのＫｒＦエキシマレーザまたは発振波長１９３ｎｍのＡｒＦエキシマレーザが好ましい。このような波長のものは、特に加工性が優れている。
なお、加工用レーザ光源としては、波長変換技術を用いた発振波長が紫外領域の固体レーザを用いることができることはいうまでもない。
そして、カテーテルチューブ１０の基端には、硬質合成樹脂（例えば、ポリカーボネイト、ポリプロピレン、ナイロン）により形成された、ハブ７が取り付けられている。このハブ７は、後端部に造影剤注入器（例えば、シリンジ）を取り付け可能となっている。
【００３８】
次に、図５に示す実施例の造影カテーテル２０について説明する。
この実施例のカテーテル２０は、ルーメンとルーメンと連通する先端開口を有するカテーテルチューブを備え、カテーテルチューブは、先端側に形成された屈曲部９と、カテーテルチューブの先端部に形成され、屈曲部９の内側方向に突出するように湾曲した湾曲変形部２と、屈曲部９と湾曲変形部２との間に設けられ、ルーメンと連通する多数の側孔が形成された側孔形成部５とを有し、側孔形成部５の屈曲部９の内側となる部分は、側孔非形成部５ａとなっている。この実施例のカテーテル２０と上述したカテーテル１との相違は、内側側孔列の有無および外側中央側孔列の側孔数のみであり、その他については、同じである。
そして、この実施例のカテーテルでは、注入された造影剤が屈曲部９に与える力における側孔形成部５の軸に対して垂直方向の成分と側孔形成部５の屈曲部９の外側となる部分の側孔より吐出する造影剤の噴出力における前記成分と反対方向の成分とがほぼ釣り合うものとなっている。
【００３９】
具体的には、このカテーテルは、側孔形成部５の屈曲部９の外側となる部分に側孔形成部５の中心軸と平行に設けられた外側中央側孔列と、側孔形成部５の屈曲部９の内側となる部分に外側中央側孔列と向かい合うように設けられた側孔非形成部５ａを有している。側孔非形成部５ａの大きさは、カテーテル（側孔形成部５）の外周の１／１２〜１／３程度が好適である。
より具体的には、この実施例のカテーテルの側孔形成部５には、外側中央側孔列と、第１の右側面側孔列、第２の右側面側孔列、第１の左側面側側孔列および第２の左側面側側孔列を備えている。そして、第１および第２の右側面側孔列、第１および第２の左側面側側孔列については、上述した実施例と同じであり、上述した実施例と同様に、側面側孔列は、４つさらには８つでもよい。
【００４０】
外側中央側孔列の側孔数は、側面側孔列の側孔数の０倍から５／６倍程度となっていることが好ましい。外側中央側孔列の側孔数の減少に合わせて、側面側孔列の側孔数を減少させてもよいが、側孔から流出する造影剤量を十分に確保し、良好な造影を行うためには、外側中央側孔列の側孔数をのみを減少させることが好ましい。なお、外側中央側孔列の側孔数を減少させることなく、外側中央側孔列の面積を小さくしてもよい。
【００４１】
次に、図６に示す実施例のカテーテル３０について説明する。
この実施例のカテーテル３０では、側孔形成部５は、側孔形成部５の屈曲部９の外側となる部分に側孔形成部５の中心軸と平行に設けられた外側中央側孔列と、側孔形成部５の屈曲部９の内側となる部分に外側中央側孔列と向かい合うように設けられ、かつ外側中央側孔列の側孔より開口面積の小さい側孔４ａからなる内側中央側孔列を有している。この実施例のカテーテル３０と上述したカテーテル１との相違は、内側中央側孔列の側孔の大きさのみであり、その他については、同じである。このカテーテル３０では、外側中央側孔列の側孔数と内側中央側孔列の側孔数は同じになっている。これに限らず、例えば、内側側孔数を少なくするなど両者間に差を設けてもよい。
また、カテーテル３０における側孔４ａ面積は、外側中央側孔列の側孔４の１／１２〜５／６程度とすることが好ましい。さらに、側孔４ａの総面積も、外側中央側孔列の総面積の０倍〜５／６倍程度とすることが好ましい。
【００４２】
また、上述したすべての実施例のカテーテルにおいて、カテーテルの側孔形成部５は、側孔形成部の基端部に位置し、側孔形成部の他の部分より側孔開口密度が低い側孔開口低密度部を有するものとしてもよい。つまり、側孔形成部の基端部に、本体部６と側孔形成部５の他の部分との中間的な物性を有する部分を設けることにより、カテーテルの基端部において与えた押込力が集中しやすい側孔形成部５と本体部６との境界部分でのキンクを防止することができる。
具体的形態としては、側孔形成部５の基端側端部部分は単位軸方向長さにおける側孔数が他の部分より少ない側孔減少部とすること、より具体的には、側孔形成部５の基端側端部部分における単位長さにおける側孔数を単に減少させること、また、側孔形成部５の基端側端部部分における側孔列間の側孔間距離を他の部分より長いものとすることが考えられる。さらに、側孔形成部５の基端側端部部分の側孔を他の部分より面積を小さいものとしてもよい。
【００４３】
【実施例】
以下、本発明の具体的実施例について詳細に説明する。
（実施例１）
ポリアミドエラストマーとポリウレタンのポリマーアロイに硫酸バリウム粉末を添加したものにより外径１．７ｍｍ、内径１．２ｍｍのチューブを作製した。このチューブを約１１００ｍｍ切断したもの（本体側チューブ）を準備した。
また、ポリウレタンに硫酸バリウム粉末を添加したものにより外径１．７ｍｍ、内径１．０ｍｍのチューブを作製した。このチューブを約３３ｍｍ切断したもの（湾曲用チューブ）を準備した。
そして、本体側チューブの先端に湾曲チューブを熱融着し、接続チューブを作製した。そして、このカテーテルチューブの後端に、ナイロン製ハブを固着した。
カテーテルチューブの先端より３８ｍｍ基端側の位置から軸方向長さ約２４ｍｍまでの部分に、軸方向に隣り合う側孔の中心間距離（同一列に配置された側孔間距離）が２．０ｍｍとなるように、面積０．２７ｍｍ2（短軸０．５ｍｍ、長軸０．７ｍｍの楕円）の側孔を６列（一列１２個、ただし、一列のみ側孔数４個）、を等角度に配置し、合計６４個の側孔を設けた。
【００４４】
なお、側孔の形成は、発振波長２４８ｎｍのＫｒＦエキシマレーザ（被加工物表面でのパワー密度０．５ｋＷ／ｃｍ2、１側孔当たり照射時間２．３ｓｅｃ）を用いてレーザ加工により行った。
そして、カテーテルチューブの湾曲部の最もカテーテルの先端となる部分より６０ｍｍ基端側の部分を加熱し、側孔数４個の側孔列が内側となるように、角度１５５度の屈曲部を形成した。さらに、湾曲用チューブ部分を加熱して、屈曲部の内側に突出する曲率半径約６ｍｍのループ状の湾曲形成部を作製し、図１に示すような形状の血管造影用カテーテルを作製した。なお、側孔は湾曲変形部の最後端側位置より引いた接線Ｘがカテーテルチューブを横切る位置より３ｍｍ後端側となる位置より後端側に形成されており、カテーテル先端の開口は、カテーテルの本体部および側孔形成部のルーメンとほぼ平行でかつカテーテルの先端方向を向いていた。
【００４５】
このカテーテルでの側孔形成部における任意の軸方向１０ｍｍ部分（側孔数４個の側孔列を含む部分）における側孔数は２５個であった。また、このカテーテルでの側孔形成部における任意の軸方向１０ｍｍ部分（側孔数４個の側孔列を含む部分）における側孔総面積は、約６．８７ｍｍ2であった。また、側孔形成部の屈曲部の外側となる部分に位置する側孔の総面積に対する屈曲部の内側となる部分に位置する側孔の総面積比は、１／３であった。
【００４６】
（実施例２）
屈曲部および側孔に関する条件を次のように変えた以外は、実施例１と同様に行いカテーテルを作製した。
カテーテルチューブの先端より３８ｍｍ基端側の位置から軸方向長さ約１０ｍｍまでの部分に、軸方向に隣り合う側孔の中心間距離（同一列に配置された側孔間距離）が２．５ｍｍとなるように、面積０．２７ｍｍ２（短軸０．５ｍｍ、長軸０．７ｍｍの楕円）の側孔を５列（一列４個、側孔列間隔６０度）配置し、合計２０個の側孔を設けた。なお、側孔形成部には、軸方向に延び、かつ軸に対して１２０度の広がりを有する側孔非形成部が形成された。
【００４７】
そして、カテーテルチューブの湾曲部の最もカテーテルの先端となる部分より２５ｍｍ基端側の部分を加熱し、側孔非形成部の中央が内側となるように、角度１５５度の屈曲部を形成した。さらに、湾曲用チューブ部分を加熱して、屈曲部の内側に突出する曲率半径約６ｍｍのループ状の湾曲形成部を作製し、血管造影用カテーテルを作製した。なお、側孔は湾曲変形部の最後端側位置より引いた接線Ｘがカテーテルチューブを横切る位置より３ｍｍ後端側となる位置より後端側に形成されており、カテーテル先端の開口は、カテーテルの本体部および側孔形成部のルーメンとほぼ平行でかつカテーテルの先端方向を向いていた。
このカテーテルでの側孔形成部における任意の軸方向１０ｍｍ部分（側孔数４個の側孔列を含む部分）における側孔数は１６個であった。また、このカテーテルでの側孔形成部における任意の軸方向１０ｍｍ部分（側孔数４個の側孔列を含む部分）における側孔総面積は、約４．４ｍｍ2であった。
【００４８】
（実施例３）
屈曲部および側孔に関する条件を次のように変えた以外は、実施例１と同様に行いカテーテルを作製した。
カテーテルチューブの先端より３８ｍｍ基端側の位置から軸方向長さ約２４ｍｍまでの部分に、軸方向に隣り合う側孔の中心間距離（同一列に配置された側孔間距離）が２．０ｍｍとなるように、面積０．２７ｍｍ２（短軸０．５ｍｍ、長軸０．７ｍｍの楕円）の側孔を５列（一列１２個）、面積０．０２９ｍｍ２（直径０．３４ｍｍの円）の側孔を１列（一列１２個）の計６列を等角度（６０度間隔）に配置し、合計７２個の側孔を設けた。
このカテーテルでの側孔形成部における任意の軸方向１０ｍｍ部分（側孔数４個の側孔列を含む部分）における側孔数は２６個であった。また、このカテーテルでの側孔形成部における任意の軸方向１０ｍｍ部分（側孔数４個の側孔列を含む部分）における側孔総面積は、約６．３２ｍｍ２であった。また、側孔形成部の屈曲部の外側となる部分に位置する側孔の総面積に対する屈曲部の内側となる部分に位置する側孔の総面積比は、１／３であった。
【００４９】
（実施例４）
屈曲部および側孔に関する条件を次のように変えた以外は、実施例１と同様に行いカテーテルを作製した。
カテーテルチューブの先端より３８ｍｍ基端側の位置から軸方向長さ約２４ｍｍまでの部分に、軸方向に隣り合う側孔の中心間距離（同一列に配置された側孔間距離）が２．０ｍｍとなるように、面積０．２７ｍｍ２（短軸０．５ｍｍ、長軸０．７ｍｍの楕円）の側孔を５列（一列１２個）、軸方向に隣り合う側孔の中心間距離が７．３ｍｍとなるように、面積０．２７ｍｍ２（短軸０．５ｍｍ、長軸０．７ｍｍの楕円）の側孔を１列（側孔数４）の計６列を等角度に配置し、合計６４個の側孔を設けた。
このカテーテルでの側孔形成部における任意の軸方向１０ｍｍ部分（側孔数４個の側孔列を含む部分）における側孔数は２３個であった。また、このカテーテルでの側孔形成部における任意の軸方向１０ｍｍ部分（側孔数４個の側孔列を含む部分）における側孔総面積は、約６．２３ｍｍ２であった。また、側孔形成部の屈曲部の外側となる部分に位置する側孔の総面積に対する屈曲部の内側となる部分に位置する側孔の総面積比は、１／３であった。
【００５０】
（実施例５）
屈曲部および側孔に関する条件を次のように変えた以外は、実施例１と同様に行いカテーテルを作製した。
カテーテルチューブの先端より３８ｍｍ基端側の位置から軸方向長さ約２４ｍｍまでの部分に、軸方向に隣り合う側孔の中心間距離（同一列に配置された側孔間距離）が２．０ｍｍとなるように、面積０．２７ｍｍ２（短軸０．５ｍｍ、長軸０．７ｍｍの楕円）の側孔を５列（４列が１２個、一列が８個、側孔列間隔６０度）配置し、合計５６個の側孔を設けた。なお、側孔形成部には、軸方向に延び、かつ軸に対して１２０度の広がりを有する側孔非形成部が形成されており、８個の側孔列は、側孔非形成部の中央と向かい合っていた。
【００５１】
そして、カテーテルチューブの湾曲部の最もカテーテルの先端となる部分より６０ｍｍ基端側の部分を加熱し、側孔非形成部の中央が内側となるように、角度１５５度の屈曲部を形成した。さらに、湾曲用チューブ部分を加熱して、屈曲部の内側に突出する曲率半径約６ｍｍのループ状の湾曲形成部を作製し、血管造影用カテーテルを作製した。なお、側孔は湾曲変形部の最後端側位置より引いた接線Ｘがカテーテルチューブを横切る位置より３ｍｍ後端側となる位置より後端側に形成されており、カテーテル先端の開口は、カテーテルの本体部および側孔形成部のルーメンとほぼ平行でかつカテーテルの先端方向を向いていた。
このカテーテルでの側孔形成部における任意の軸方向１０ｍｍ部分（側孔数４個の側孔列を含む部分）における側孔数は２１個であった。また、このカテーテルでの側孔形成部における任意の軸方向１０ｍｍ部分（側孔数４個の側孔列を含む部分）における側孔総面積は、約５．７７ｍｍ2であった。
【００５２】
（比較例）
屈曲部および側孔に関する条件を次のように変えた以外は、実施例１と同様に行いカテーテルを作製した。
カテーテルチューブの先端より３８ｍｍ基端側の位置から軸方向長さ約２４ｍｍまでの部分に、軸方向に隣り合う側孔の中心間距離（同一列に配置された側孔間距離）が２．０ｍｍとなるように、面積０．２７ｍｍ２（短軸０．５ｍｍ、長軸０．７ｍｍの楕円）の側孔を６列（一列が１２個、側孔列間隔６０度）配置し、合計７２個の側孔を設けた。
そして、カテーテルチューブの湾曲部の最もカテーテルの先端となる部分より６０ｍｍ基端側の部分を加熱し、１つの側孔列が湾曲部の内側中央側孔列となるように、角度１５５度の屈曲部を形成した。さらに、湾曲用チューブ部分を加熱して、屈曲部の内側に突出する曲率半径約６ｍｍのループ状の湾曲形成部を作製し、血管造影用カテーテルを作製した。なお、側孔は湾曲変形部の最後端側位置より引いた接線Ｘがカテーテルチューブを横切る位置より３ｍｍ後端側となる位置より後端側に形成されており、カテーテル先端の開口は、カテーテルの本体部および側孔形成部のルーメンとほぼ平行でかつカテーテルの先端方向を向いていた。
このカテーテルでの側孔形成部における任意の軸方向１０ｍｍ部分における側孔数は２６個であった。また、このカテーテルでの側孔形成部における任意の軸方向１０ｍｍ部分における側孔総面積は、約７．１５ｍｍ２であった。
【００５３】
（実験）
実施例および比較例のカテーテルを用いて、造影剤の分散性、側孔流量比率、カテーテル先端部の挙動について実験を行った。結果は、表１に示す通りであった。
実験では、造影剤［粘度１０．６ｃ．ｐ．(３７゜Ｃ）］を注入総流量：３６ｍｌ、圧力：１０００ｐｓｉ、フローレイト：１２ｍ１／ｓｅｃの条件でカテーテルの後端より注入することにより行った。なお、造影剤の分散性試験は、上記と同様の疑似造影剤注入条件でかつ疑似造影剤に赤色インキを添加し、水槽の中で行い、分散状況を目視にて判断したものである。表１中の◎が非常に良好、○が良好、×が悪いを示している。カテーテル先端部の挙動における◎はほとんど動きがなかったこと、○はわずかな動きがあったこと、×は大きな動きがあったことを示している。
また、側孔流量比率は、先端開口から噴出された造影剤の量Ｑ１と、各側孔から噴出された造影剤の総重Ｑ２とを測定し、式Ｑ２／（Ｑ１＋Ｑ２）より求めた値である。
【００５４】
【表１】
0003643233.tif 000002
【００５５】
【発明の効果】
本発明の造影用カテーテルは、ルーメンと該ルーメンと連通する先端開口を有するカテーテルチューブを備え、該カテーテルチューブは、先端側に形成された屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、該側孔形成部の前記屈曲部の内側となる部分に位置する側孔の総面積は、前記側孔形成部の前記屈曲部の外側となる部分に位置する側孔の総面積より少ないものとなっている。このため、注入された造影剤により屈曲部に与えられる力における側孔形成部の軸に対して垂直方向の成分は、側孔形成部の屈曲部の内側となる部分の側孔より吐出する造影剤の噴出力における前記成分と同方向の成分と側孔形成部の屈曲部の外側となる部分の側孔より吐出する造影剤の噴出力における前記成分と反対方向の成分との差により緩衝されるので、造影剤注入時に屈曲部に起因するカテーテル先端の挙動が少なく、生体内に挿入したカテーテルの先端部の目的部位から離脱、ズレが極めて少なく、適正なＸ線造影を行うことができる。
【００５６】
また、本発明のカテーテルは、ルーメンと該ルーメンと連通する先端開口を有するカテーテルチューブを備え、該カテーテルチューブは、先端側に形成された屈曲部と、カテーテルチューブの先端部に形成され、前記屈曲部の内側方向に突出するように湾曲した湾曲変形部と、前記屈曲部と前記湾曲変形部との間に設けられ、前記ルーメンと連通する多数の側孔が形成された側孔形成部とを有し、該側孔形成部の前記屈曲部の内側となる部分は、側孔非形成部となっている。このため、注入された造影剤により屈曲部おける側孔形成部の軸に対して垂直方向の成分は、側孔形成部の屈曲部の外側となる部分の側孔より吐出する造影剤の噴出力における前記成分と反対方向の成分により緩衝されるので、造影剤注入時に屈曲部に起因するカテーテル先端の挙動が少なく、生体内に挿入したカテーテルの先端部の目的部位から離脱、ズレが極めて少なく、適正なＸ線造影を行うことができる。
【図面の簡単な説明】
【図１】図１は、本発明の造影用カテーテルの実施例の部分省略側面図である。
【図２】図２は、図１に示したカテーテルの先端部分の拡大図である。
【図３】図３は、図１に示したカテーテルの先端部分の屈曲部の内側からみた拡大図である。
【図４】図４は、図１に示したカテーテルの先端部分の拡大断面図である。
【図５】図５は、本発明の造影用カテーテルの他の実施例の先端部分の拡大図である。
【図６】図６は、本発明の造影用カテーテルの他の実施例の先端部分の拡大図である。
【図７】図７は、本発明のカテーテルの作用を説明するための説明図である。
【図８】図８は、本発明のカテーテルの作用を説明するための説明図である。
【符号の説明】
１  カテーテル
２  湾曲変形部
３  先端開口
４  側孔
５  側孔形成部
６  本体部
７  ハブ
８  ルーメン
９  屈曲部
１０  カテーテルチューブ
【図１】
0003643233.tif 000003
【図２】
0003643233.tif 000004
【図３】
0003643233.tif 000005
【図４】
0003643233.tif 000006
【図５】
0003643233.tif 000007
【図６】
0003643233.tif 000008
【図７】
0003643233.tif 000009
【図８】
0003643233.tif 000010